(57)【要約】【課題】カメラで撮影した写真１枚１枚の題名を入力する作業の困難性を低減し、電子アルバムとして機能させることができる電子アルバム作成装置を提供する。【解決手段】電子アルバム作成装置は、撮像装置により撮影された写真の電子データから被写体の人物及び物体を判別し、判別した人物の表情及び様子を含む人物属性と、物体の物体名を含む物体属性と、人物と物体との位置関係とを含む被写体属性を解析する被写体解析部と、解析した被写体属性に対応する語句を予め設定された題名用定型文の所定箇所に挿入することにより写真毎に題名を付加する題名付加部と、題名を付加した写真の電子データから電子アルバムを作成する電子アルバム作成部とを備える。【選択図】図２
2010218227.tif 000002
【特許請求の範囲】
【請求項１】
撮像装置により撮影された写真の電子データから被写体の人物及び物体を判別し、判別した人物の表情及び様子を含む人物属性と、物体の物体名を含む物体属性と、人物と物体との位置関係とを含む被写体属性を解析する被写体解析部と、
解析した被写体属性に対応する語句を予め設定された題名用定型文の所定箇所に挿入することにより写真毎に題名を付加する題名付加部と、
題名を付加した写真の電子データから電子アルバムを作成する電子アルバム作成部とを備えたことを特徴とする電子アルバム作成装置。
【請求項２】
前記被写体解析部は、前記被写体の人物に予め登録された個人判別用装着物を付けた人物が含まれる場合、前記人物属性として、前記装着物から前記人物の表示氏名を解析し、
前記題名付加部は、解析した人物の表示氏名を前記題名用定型文の所定箇所に挿入することにより写真毎に題名を付加することを特徴とする請求項１に記載の電子アルバム作成装置。
【請求項３】
前記電子データは、前記撮像装置の位置情報を含み、
前記被写体解析部は、前記被写体属性として、前記位置情報から撮影場所を解析し、
前記題名付加部は、解析した撮影場所を表す語句を前記題名用定型文の所定箇所に挿入することにより写真毎に題名を付加し、
前記電子アルバム作成部は、解析した撮影場所に応じて予め設定された表紙データの中から電子アルバムの表紙を抽出することを特徴とする請求項１又は２に記載の電子アルバム作成装置。
【請求項４】
前記被写体解析部は、予め設定された時間に同一の撮影場所で撮影された写真の電子データを記録し、その履歴から被写体の物体を解析することを特徴とする請求項１から３のいずれかに記載の電子アルバム作成装置。
【請求項５】
撮像装置により撮影された写真の電子データから被写体の人物及び物体を判別し、判別した人物の表情及び様子を含む人物属性と、物体の物体名を含む物体属性と、人物と物体との位置関係とを含む被写体属性を解析し、
解析した被写体属性に対応する語句を予め設定された題名用定型文の所定箇所に挿入することにより写真毎に題名を付加し、
題名を付加した写真の電子データから電子アルバムを作成することを特徴とする電子アルバム作成方法。
【請求項６】
さらに、前記被写体の人物に予め登録された個人判別用装着物を付けた人物が含まれる場合、前記人物属性として、前記装着物から前記人物の表示氏名を解析し、
解析した人物の表示氏名を前記題名用定型文の所定箇所に挿入することにより写真毎に題名を付加することを特徴とする請求項５に記載の電子アルバム作成方法。
【請求項７】
前記電子データは、前記撮像装置の位置情報を含み、
さらに、前記被写体属性として、前記位置情報から撮影場所を解析し、
解析した撮影場所を表す語句を前記題名用定型文の所定箇所に挿入することにより写真毎に題名を付加し、
解析した撮影場所に応じて予め設定された表紙データの中から電子アルバムの表紙を抽出することを特徴とする請求項５又は６に記載の電子アルバム作成方法。
【請求項８】
さらに、予め設定された時間に同一の撮影場所で撮影された写真の電子データを記録し、その履歴から被写体の物体を解析することを特徴とする請求項５から７のいずれかに記載の電子アルバム作成方法。
【請求項９】
コンピュータに、
撮像装置により撮影された写真の電子データから被写体の人物及び物体を判別し、判別した人物の表情及び様子を含む人物属性と、物体の物体名を含む物体属性と、人物と物体との位置関係とを含む被写体属性を解析する被写体解析処理と、
解析した被写体属性に対応する語句を予め設定された題名用定型文の所定箇所に挿入することにより写真毎に題名を付加する題名付加処理と、
題名を付加した写真の電子データから電子アルバムを作成する電子アルバム作成処理とを実行させることを特徴とする電子アルバム作成プログラム。
【請求項１０】
前記被写体解析処理は、前記被写体の人物に予め登録された個人判別用装着物を付けた人物が含まれる場合、前記人物属性として、前記装着物から前記人物の表示氏名を解析し、
前記題名付加処理は、解析した人物の表示氏名を前記題名用定型文の所定箇所に挿入することにより写真毎に題名を付加することを特徴とする請求項９に記載の電子アルバム作成プログラム。
【請求項１１】
前記電子データは、前記撮像装置の位置情報を含み、
前記被写体解析処理は、前記被写体属性として、前記位置情報から撮影場所を解析し、
前記題名付加処理は、解析した撮影場所を表す語句を前記題名用定型文の所定箇所に挿入することにより写真毎に題名を付加し、
前記電子アルバム作成処理は、解析した撮影場所に応じて予め設定された表紙データの中から電子アルバムの表紙を抽出することを特徴とする請求項９又は１０に記載の電子アルバム作成プログラム。
【請求項１２】
前記被写体解析処理は、予め設定された時間に同一の撮影場所で撮影された写真の電子データを記録し、その履歴から被写体の物体を解析することを特徴とする請求項９から１１のいずれかに記載の電子アルバム作成プログラム。
【請求項１３】
請求項１から４のいずれか１項に記載の電子アルバム作成装置として機能するサーバーと、
撮像装置により撮影された写真の電子データを前記サーバーに送信する端末装置とを備えたことを特徴とする電子アルバム作成システム。
【請求項１４】
請求項１から４のいずれか１項に記載の電子アルバム作成装置として機能することを特徴とするサーバー。
【請求項１５】
請求項１から４のいずれか１項に記載の電子アルバム作成装置として機能することを特徴とする情報処理装置。
【請求項１６】
請求項１から４のいずれか１項に記載の電子アルバム作成装置と、
写真を撮影する撮像装置とを備えたことを特徴とする端末装置。
【請求項１７】
請求項１から４のいずれか１項に記載の電子アルバム作成装置を備えたことを特徴とする撮像装置。
【発明の詳細な説明】
【技術分野】
【０００１】
本発明は、電子アルバム作成装置、方法、プログラム、システム、サーバー、情報処理装置、端末装置、及び撮像装置に係り、特に撮像装置で撮影した写真の電子データから電子アルバムを作成する電子アルバム作成装置及び方法に関する。
【背景技術】
【０００２】
近年、撮像装置（カメラ）として、ＣＣＤ（Charge Coupled Device）やＣＭＯＳ（Complementary Metal Oxide Semiconductor）イメージセンサなどの固体撮像素子を用いたデジタルカメラが多数出回っている。
【０００３】
このデジタルカメラで撮影された写真の電子データは、通常、ＣＤ（コンパクトディスク）などの記録媒体やネットワーク上に電子アルバム形式で保存される。このように記録媒体やネットワーク上の電子アルバムは、データの閲覧や単なるデータ保存としての用途しか満たしていない場合がある。このため、正式なアルバムとして機能させるには、写真１枚１枚に「いつ、どこで、何と、どのような撮影をしたのか」などの題名（タイトル）を明記する必要がある。
【０００４】
しかし、デジタルカメラは、保存容量が多いので気軽に多数の枚数が保存でき、安易に撮影できるという点から何十枚何百枚も写真を撮影することもあるため、これらに１枚１枚手作業で題名を付けて保存することは困難である。しかも、この作業を撮影後にすぐ行わないと、何処で撮影したものかさえも忘れてしまうことになる。
【０００５】
これに関し、特許文献１には、複数のページから構成されるアルバム形式でデータを有する電子アルバムシステムにおける情報処理方法が開示されている。この方法では、ＧＰＳ装置を接続又は備えたデジタルカメラによって撮影された電子画像と各電子画像に対応して記録されたＧＰＳ情報とを取得し、コンピュータネットワークを介してサーバー装置から電子画像を貼り付ける台紙データを取得し、各電子画像に対応して記録されたＧＰＳ情報を基に台紙データ上の所定のポイントに電子画像を貼り付ける。これにより、電子アルバムに容易に電子画像の登録・分類ができるとされている。
【０００６】
また、特許文献２には、デジタルカメラの撮影画像を電子アルバムとしてコンピュータ画面上に表示する電子アルバム表示方法が開示されている。この方法では、各画像データに記録されているＧＰＳデータと時刻情報を読み取り、データベースを参照しながら該当する都市名を取得し、予め設定された起点からの距離順に都市名をソーティングし、さらに各都市名に属する画像を撮影時刻順にソーティングし、アルバムビューワー上に表示する。これによれば、撮影画像内に記録されている位置情報と時刻情報に基づき、アルバムに取りこんだ画像を都市名毎に分類し、任意の基点からの距離と時間の組み合わせによってアルバムビューワー上に整理表示することができるとされている。
【先行技術文献】
【特許文献】
【０００７】
【特許文献１】特開２００２−３２９１９１号公報
【特許文献２】特開２００６−１２００５８号公報
【発明の概要】
【発明が解決しようとする課題】
【０００８】
前述したように電子アルバムは利用されてはいるが、通常は、カメラからデータをネットワーク上で掲載するだけであり、写真１枚１枚の題名は１枚１枚手入力で書き込みをするか、あるいは規定値のまま保存されていた。また、アルバムというよりも、ネットワーク上に単に保存しているだけという言い方が正しく、電子アルバムとして機能していないところがあった。
【０００９】
すなわち、前述した電子アルバムは、デジタルカメラで撮影した写真をそのままネットワーク上にアップロードし、保存するしか機能が無かった。また、写真１枚１枚の題名も規定値の無題のままか手入力が多く、撮影して数日経過すると何処で撮影をしたものなのかを忘れてしまい、題名を付けることもできない。しかも、手入力で入力した場合は、枚数が多いと多大な時間がかかる。このままでは、単なる写真の保存だけになってしまうため、その対策が望まれている。特許文献１、２は、必ずしもこのような問題を意識してなされたものではない。
【００１０】
本発明の目的は、このような課題を解決し、カメラで撮影した写真１枚１枚の題名を入力する作業の困難性を低減し、電子アルバムとして機能させることができる電子アルバム作成装置及び方法を提供することにある。
【課題を解決するための手段】
【００１１】
上記目的を達成するため、本発明に係る電子アルバム作成装置は、撮像装置により撮影された写真の電子データから被写体の人物及び物体を判別し、判別した人物の表情及び様子を含む人物属性と、物体の物体名を含む物体属性と、人物と物体との位置関係とを含む被写体属性を解析する被写体解析部と、解析した被写体属性に対応する語句を予め設定された題名用定型文の所定箇所に挿入することにより写真毎に題名を付加する題名付加部と、題名を付加した写真の電子データから電子アルバムを作成する電子アルバム作成部とを備えたことを特徴とする。
【００１２】
本発明に係る電子アルバム作成方法は、撮像装置により撮影された写真の電子データから被写体の人物及び物体を判別し、判別した人物の表情及び様子を含む人物属性と、物体の物体名を含む物体属性と、人物と物体との位置関係とを含む被写体属性を解析し、解析した被写体属性に対応する語句を予め設定された題名用定型文の所定箇所に挿入することにより写真毎に題名を付加し、題名を付加した写真の電子データから電子アルバムを作成することを特徴とする。
【００１３】
本発明に係る電子アルバム作成プログラムは、コンピュータに、撮像装置により撮影された写真の電子データから被写体の人物及び物体を判別し、判別した人物の表情及び様子を含む人物属性と、物体の物体名を含む物体属性と、人物と物体との位置関係とを含む被写体属性を解析する被写体解析処理と、解析した被写体属性に対応する語句を予め設定された題名用定型文の所定箇所に挿入することにより写真毎に題名を付加する題名付加処理と、題名を付加した写真の電子データから電子アルバムを作成する電子アルバム作成処理とを実行させることを特徴とする。
【発明の効果】
【００１４】
本発明によれば、カメラで撮影した写真１枚１枚の題名を入力する作業の困難性を低減し、電子アルバムとして機能させることができる。
【図面の簡単な説明】
【００１５】
【図１】本発明の第１の実施の形態に係る電子アルバム作成システムの全体構成を示す概略ブロック図である。
【図２】図１に示す電子アルバムサーバーの内部構成を示す概略ブロック図である。
【図３】図２に示す受付データＤＢの内容の一例を示す図である。
【図４】図２に示す会員ＤＢの内容の一例を示す図である。
【図５】図２に示す物体履歴ＤＢの内容の一例を示す図である。
【図６】図２に示す場所ＤＢの内容の一例を示す図である。
【図７】図２に示す物体ＤＢの内容の一例を示す図である。
【図８】図２に示す写真ＤＢの内容の一例を示す図である。
【図９】図２に示す表紙ＤＢの内容の一例を示す図である。
【図１０】図２に示す個人判別ＤＢの内容の一例を示す図である。
【図１１】図２に示す表情ＤＢの内容の一例を示す図である。
【図１２】図２に示す動作ＤＢの内容の一例を示す図である。
【図１３】利用者端末のユーザが新規会員の場合の電子アルバムサーバーの機能を説明する概略ブロック図である。
【図１４】利用者端末のユーザが既存会員の場合の電子アルバムサーバーの機能を説明する概略ブロック図である。
【図１５】予め設定された一定の時間にＧＰＳ位置毎に監視する場合の電子アルバムサーバーの機能を説明する概略ブロック図である。
【図１６】会員登録のお知らせの内容の一例を示す図である。
【図１７】電子アルバムの内容（表紙）の一例を示す図である。
【図１８】電子アルバムの内容（中身）の一例を示す図である。
【図１９】アルバム完成通知の内容の一例を示す図である。
【図２０】図１に示す電子アルバム作成システムの動作を説明する概略フローチャートである。
【図２１】図２０に続き、図１に示す電子アルバム作成システムの動作を説明する概略フローチャートである。
【図２２】図２１に続き、図１に示す電子アルバム作成システムの動作を説明する概略フローチャートである。
【図２３】図２２に続き、図１に示す電子アルバム作成システムの動作を説明する概略フローチャートである。
【図２４】図２３に続き、図１に示す電子アルバム作成システムの動作を説明する概略フローチャートである。
【図２５】図２４に続き、図１に示す電子アルバム作成システムの動作を説明する概略フローチャートである。
【図２６】本発明の第２の実施の形態に係る電子アルバム作成装置の全体構成を示す概略ブロック図である。
【図２７】本発明の第３の実施の形態に係る電子アルバム作成装置を備えた携帯端末の全体構成を示す概略ブロック図である。
【図２８】本発明の第４の実施の形態に係る電子アルバム作成装置を備えた撮像装置の全体構成を示す概略ブロック図である。
【発明を実施するための形態】
【００１６】
以下、本発明に係る電子アルバム作成装置、方法、プログラム、システム、サーバー、情報処理装置、端末装置、及び撮像装置の実施の形態について、図面を参照して詳細に説明する。
【００１７】
（第１の実施の形態）
図１は、本発明の第１の実施の形態に係る電子アルバム作成システムの全体構成を示す。
【００１８】
図１に示す電子アルバム作成システムは、利用者端末１０と、電子アルバム作成サーバー（電子アルバム作成装置）２０と、受付業者端末３０とを有し、各々がネットワーク１００を介して接続されている。ネットワーク１００は、通信回線を介して各ノード間を通信可能に接続可能なものであれば、いずれの形態でも適用可能である。
【００１９】
利用者端末１０は、会員情報登録、電子アルバム作成サーバー２０へのログイン、各種通知の送受信を行うユーザが使用するパソコン（ＰＣ）及び携帯端末などの情報処理装置である。利用者端末１０から電子アルバム作成サーバー２０への電子データ送信を行う際に利用するデータは、ＧＰＳ（Global Positioning System）機能（位置取得機能）付きのデジタルカメラで撮影されたものとする。
【００２０】
図２は、電子アルバム作成サーバー２０の内部構成を示す。
【００２１】
電子アルバム作成サーバー２０は、例えばＰＣ（Personal Computer）サーバーや専用サーバー等の情報処理装置（コンピュータ機）で構成され、図２に示すように、予め設定された形式で所定のデータを格納するＤＢ（データベース）２００と、このＤＢ２００のデータを予め設定されたプログラム制御により処理する処理装置２０１とを備える。ＤＢ２００は、会員ＤＢ２０２、受付データＤＢ２０３、物体履歴ＤＢ２０４、場所ＤＢ２０５、物体ＤＢ２０６、写真ＤＢ２０７、表紙ＤＢ２０８、個人判別ＤＢ２０９、表情ＤＢ２１０、動作ＤＢ２１１を有する。
【００２２】
図３〜図１２は、これらのＤＢ２０１〜２１１の内容の一例を示す。
【００２３】
会員ＤＢ２０２は、図３に示すように、「会員ＮＯ」、「メールアドレス」、「パスワード」、「住所」、「氏名」、「電話番号」の各欄から構成され、各欄のデータを互いに関連付けて格納する。
【００２４】
受付データＤＢ２０３は、図４に示すように、「会員ＮＯ」、「写真ＮＯ」、「ＧＰＳ位置」、「方位」、「撮影日時」、「写真（イメージデータ）」、「物体名」の各欄から構成され、各欄のデータを互いに関連付けて格納する。
【００２５】
物体履歴ＤＢ２０４は、事前に設定されている時間に位置、物体の形状情報を記録する。記録時に人物以外の物体が存在する場合は、物体ＤＢ２０６と照合し、物体を確実に分析し、物体名として履歴を記録保存する。本実施の形態では、図５に示すように、「ＧＰＳ位置」、「方位」、「形状（イメージデータ）」、「日時」、「物体名」の各欄から構成され、各欄のデータを互いに関連付けて格納する。
【００２６】
場所ＤＢ２０５は、図６に示すように、「ＧＰＳ位置」、「方位」、「大区分」、「中区分」、「小区分」の各欄から構成され、各欄のデータを互いに関連付けて格納する。
【００２７】
物体ＤＢ２０６は、物体属性として、様々な角度の物体名を形状（イメージ）と関連付けて格納する。本実施の形態では、図７に示すように、「物体名」、「形状（イメージデータ）」の各欄から構成され、各欄のデータを互いに関連付けて格納する。
【００２８】
写真ＤＢ２０７は、図８に示すように、「会員ＮＯ」、「写真ＮＯ」、「題名」、「写真（イメージデータ）」の各欄から構成され、各欄のデータを互いに関連付けて格納する第１の写真ＤＢ２０７ａと、「大区分」、「中区分」、「小区分」、「撮影日時」、「物体名」の各欄から構成され、各欄のデータを互いに関連付けて格納する第２の写真ＤＢ２０７ｂと、「訂正」、「表紙」、「表示氏名」、「様子」、「動作」の各欄から構成され、各欄のデータを互いに関連付けて格納する第３の写真ＤＢ２０７ｃとを有する。
【００２９】
表紙ＤＢ２０８は、図９に示すように、「大区分」、「表紙（絵または写真）」の各欄から構成され、各欄のデータを互いに関連付けて格納する。
【００３０】
個人判別ＤＢ２０９は、図１０に示すように、「登録者会員ＮＯ」、「バッチＮＯ」、「表示氏名」、「撮影期間」の各欄から構成され、各欄のデータを互いに関連付けて格納する。
【００３１】
表情ＤＢ２１０は、人物属性として、人物の目鼻口とうの部品の形や位置から「笑う」「泣く」などの表情が自動解析できるように、予め様々な判別データを格納する。本実施の形態では、図１１に示すように、「表情（部分特徴）」、「様子」の各欄から構成され、各欄のデータを互いに関連付けて格納する。
【００３２】
動作ＤＢ２１１は、人物属性として、人物の手や足の身振り手振りの形状や位置などから「ピース」「ジャンプなどの動作が解析できるように、予め様々な判別データを格納する。本実施の形態では、図１２に示すように、「ポーズ」、「動作」の各欄から構成され、各欄のデータを互いに関連付けて格納する。
【００３３】
図１３〜図１５は、電子アルバム作成サーバー２０の機能を説明するものである。図１３は、利用者端末１０のユーザが新規会員の場合、図１４は利用者端末１０のユーザが既存会員の場合、図１５は予め設定された時間にＧＰＳ位置毎に監視する場合のそれぞれ機能を示す。
【００３４】
処理装置２０１は、ＣＰＵ（Central Processing Unit）及びそのＣＰＵにより実行されるプログラムやその処理データなどを保持するメモリなどのコンピュータ構成要素を有するサーバー等の情報処理装置である。以下に説明する処理装置２０１の機能は、予め設定された電子アルバム作成プログラムを実行することにより実現される。
【００３５】
本実施の形態では、処理装置２０１は、ネットワーク１００を介して利用者端末１０より個人情報を含む会員登録情報（「メールアドレス」、「住所」、「氏名」、「電話番号」など）を受信すると（図１３：Ａ１）、その会員登録情報を会員ＤＢ２０２の各欄に格納する。その格納後、処理装置２０１は、会員ＤＢ２０２に格納したデータを用いて、予め設定された形式の「会員登録のお知らせ」２２１の内容を構成するデータを自動作成し、そのデータを「会員登録のお知らせ」２２１として、利用者端末１０に送信またはＷＥＢ上に掲載したことを通知する（図１３：Ａ２）。図１６は、「会員登録のお知らせ」２２１の内容の一例を示す。
【００３６】
処理装置２０１は、利用者端末１０のログイン時（図１３：Ａ３、Ａ７、図１４：Ｂ１、Ｂ５）に、ログインＩＤ、パスワードを会員ＤＢ２０２と照合し、一致したら、利用を許可する。ログインによる利用許可後、処理装置２０１は、利用者端末１０より「表示氏名」、「撮影期間」の各データを受信して、「バッチＮＯ」を自動採番し、これらの「表示氏名」、「撮影期間」、「バッチＮＯ」の各データを「登録者会員ＮＯ」に関連付けて個人判別ＤＢ２０９の各欄に格納する（図１３：Ａ４、図１４：Ｂ２）。処理装置２０１は、登録会員の「バッチＮＯ」を含む個人情報を受付業者端末３０に送付する（図１３：Ａ５、図１４：Ｂ３）。これにより、受付業者端末３０は、所定のバッチを利用者端末１０のユーザに輸送する（図１３：Ａ６、図１４：Ｂ３）。
【００３７】
処理装置２０１は、利用者端末１０より撮影した写真の電子データを受信すると、受付データＤＢ２０３の「会員ＮＯ」、「写真ＮＯ」、「ＧＰＳ位置」、「方位」、「撮影日時」、「写真（イメージデータ）」、「物体名」の各欄へ格納する（図１３：Ａ８、図１４：Ｂ６）。その格納後、処理装置２０１は、受付データＤＢ２０３の「写真（イメージデータ）」を所定の画像分析アルゴリズムに従い分析し、その分析の結果、人物以外の「物体」が写っている場合は、受付データＤＢ２０３と物体履歴ＤＢ２０４との互いの位置情報（「ＧＰＳ位置」、「方位」）、「日時」を比較し、位置情報が同じで「日時」が最も近似している「物体名」欄のデータを物体履歴ＤＢ２０４から選択し、選択したデータを受付データＤＢ２０３の「物体名」欄に格納する（図１３：Ａ９、図１４：Ｂ７）。
【００３８】
処理装置２０１は、更に受付データＤＢ２０３と場所ＤＢ２０５との互いの位置情報（「ＧＰＳ位置」、「方位」）を比較し、位置情報が一致した「大区分」、「中区分」、「小区分」欄の各データを場所ＤＢ２０５から抽出し、抽出した各データを「撮影日時」、「物体名」欄の各データと統合し、写真ＤＢ２０７の第２の写真ＤＢ２０７ｂの各欄へ格納する（図１３：Ａ１０、図１４：Ｂ８）。
【００３９】
処理装置２０１は、更に受付データＤＢ２０３の「写真（イメージデータ）」欄のイメージデータを所定の分析アルゴリズムに従い分析し、被写体の人物に「バッチ」が存在した場合は、「バッチＮＯ」を自動解析し（図１３：Ａ１１、図１４：Ｂ９）、解析した「バッチＮＯ」のデータと個人判別ＤＢ２０９の「バッチＮＯ」のデータと比較し、一致する「バッチＮＯ」のデータがあれば、受付データＤＢ２０３の「撮影日時」欄のデータが示す日時が、一致した「バッチＮＯ」欄に対応する「撮影期間」欄の期間データが示す期間内に入っていた場合、一致した「バッチＮＯ」に対応する「表示氏名」欄のデータを抽出する（図１３：Ａ１２、図１４：Ｂ１０）。
【００４０】
また同時に、処理装置２０１は、受付データＤＢ２０３の「写真（イメージデータ）」欄のイメージデータから所定の画像分析アルゴリズムに従い人物の「表情」、「ポーズ」も自動分析し、解析した「表情」、「ポーズ」の各データを、それぞれ表情ＤＢ２１０の「様子」欄のデータと動作ＤＢ２１１の「ポーズ」欄のデータと比較し、人物の「様子」と「動作」も自動分析し、分析した各データを、上記で抽出した「表示氏名」欄のデータと共に、写真ＤＢ２０７の第３の写真ＤＢ２０７ｃの各欄に格納する（図１３：Ａ１３、図１４：Ｂ１１）。
【００４１】
処理装置２０１は、写真ＤＢ２０７の「物体名」、「様子」、「動作」欄にデータが存在する時としない場合等によって、「大区分」、「中区分」、「小区分」、「物体名」、「様子」、「動作」欄の各データから、被写体からみた物体名の位置により決められた数パターンの方法で「題名」のデータを自動付加し（図１３：Ａ１４、図１４：Ｂ１２）、付加したデータを写真ＤＢ２０７の「題名」欄に格納する。その格納後、処理装置２０１は、写真ＤＢ２０７の各欄のデータを利用者端末１０へ内容確認の為、送信またはＷＥＢ上に掲載したことを通知する（図１３：Ａ１５、図１４：Ｂ１３）。また、処理装置２０１は、利用者端末１０より、写真ＤＢ２０７の各欄のデータを受信し、その「訂正」欄に訂正データの入力があった場合は（図１３：Ａ１６、図１４：Ｂ１４）、その訂正データを用いて「題名」欄のデータを書き換える。
【００４２】
処理装置２０１は、表紙の付加の為、写真Ｄ２０７の「大区分」と表紙ＤＢ２０８（図１０）を照合し、一致した「表紙」を選択し、写真ＤＢ２０７に格納する（図１３：Ａ１７、図１４：Ｂ１５）。処理装置２０１は、データをソート後、大区分毎に「表紙」を付加し、電子アルバムを作成する。図１７及び図１８は、電子アルバムの内容の一例を示す。
【００４３】
電子アルバムの作成後、処理装置２０１は、「アルバム完成通知」２２２を自動作成し、利用者端末１０に送信またはＷＥＢ上に掲載したことを通知する（図１３：Ａ１８、図１４：Ｂ１３）。図１９は、「アルバム完成通知」２２２の内容の一例を示す。
【００４４】
処理装置２０１は、事前に設定されている時間（例えば、ｔ１〜ｔ４等）にＧＰＳ位置（例えば、ＡＡ１）毎に、受付データＤＢ２０３の「写真（イメージデータ）」欄のイメージデータに対応する形状データを物体履歴ＤＢ２０４の「形状（イメージデータ）」欄に格納する（図１５：Ｃ１）。その格納度、処理装置２０１は、その「形状（イメージデータ）」欄のイメージデータを所定の画像分析アルゴリズムに従い分析する（図１５：Ｃ２）。その分析の結果、人物以外の物体が存在した場合、処理装置２０１は、物体ＤＢ２０６の「形状（イメージデータ）」欄のイメージデータを読み込み、そのイメージデータと、分析された形状データとを比較し（図１５：Ｃ３）、一致した場合は、その「形状（イメージデータ）」欄に対応する「物体名」欄のデータを物体ＤＢ２０６から抽出し、そのデータを「形状（イメージデータ）」欄のデータと共に、位置情報（「ＧＰＳ位置」、「方位」）、「日時」欄の各データと関連付けて物体履歴ＤＢ２０４に自動格納する（図１５：Ｃ４）。
【００４５】
利用者端末１０は、初めてサービスを利用する時は、ネットワーク１００を介して、会員登録のデータを電子アルバム作成サーバー２０へ送信し、新規会員として登録後、電子アルバム作成サーバー２０より、「会員登録のお知らせ」２２１を受信する。この受信により、電子アルバム作成サーバー２０へログインすることができる。
【００４６】
ログイン後、利用者端末１０は、「表示氏名」、「撮影期間」の情報を入力し、題名に個人名を付加要求する。これらの登録により、利用者端末１０は、受付業者端末３０から撮影バッチを受け取る。写真撮影後、利用者端末１０は、電子アルバムサーバー２０へ再びログインし、ＧＰＳ機能付きのデジタルカメラで撮影をした電子データを送信する。送信後、利用者端末１０は、電子アルバムサーバー２０より、写真ＤＢ２０７を受信し、題名内容を確認し、訂正があれば訂正し、再び、電子アルバムへ写真ＤＢ２０７を送信する。利用者端末１０は、電子アルバム完成時には、電子アルバム作成サーバー２０より「アルバム完成通知」２２２を受信する。
【００４７】
受付業者端末３０は、ユーザが使用するパソコン・携帯端末などの情報処理装置であり、電子アルバム作成サーバー２０より、会員の個人情報を受信し、バッチをその個人情報に基づき輸送処理する。受付業者端末３０は、電子アルバム作成サーバー２０より、個人判別ＤＢ２０９と会員ＤＢの内容を受信すると、バッチを利用者端末１０に配布する。
【００４８】
次に、図２０〜図２５を用いて、本実施の形態の動作を詳細に説明する。なお、図２０〜図２５に示す電子アルバム作成サーバー２０側の処理フローチャートに基づくプログラム（電子アルバム作成プログラム）は、処理装置２０１により実行される。
【００４９】
まず、電子アルバム作成サーバー２０は、処理装置２０１により、物体履歴ＤＢ２０４に、予め設定された時間にＧＰＳ位置毎に、前述のように位置情報と物体の形状（イメージデータ）等を記録して管理している（図２０：Ｓ２０１、Ｓ２０２）。
【００５０】
その格納の都度、電子アルバム作成サーバー２０は、物体履歴ＤＢ２０４の「形状（イメージデータ）」欄のイメージデータを自動分析し、人物以外の物体が存在していたら、物体ＤＢ２０６の「形状（イメージデータ）」欄のイメージデータを読み込んで（図２０：Ｓ２０４）、それと物体履歴ＤＢ２０４の「形状（イメージデータ）」欄のイメージデータとを比較し、一致した場合のみ、対応する「物体名」欄のデータを物体ＤＢ２０６より抽出する（図２０：Ｓ２０５）。電子アルバム作成サーバー２０は、抽出した「物体名」欄のデータを物体履歴ＤＢ２０４の「物体名」欄に格納する（図２０：Ｓ２０６）。一方、「形状（イメージデータ）」欄のイメージデータが一致しなかった場合は、対応する「物体名」欄に何も格納しない。
【００５１】
次に、利用者端末１０は、電子アルバムを作成する為に会員になる必要があるので、会員になってない場合は、新規会員登録（図２１：Ｓ１０１）の為、インターネット１００を介して電子アルバム作成サーバー２０へ会員登録情報を送信する（図２１：Ｓ１０２）。
【００５２】
電子アルバム作成サーバー２０は、処理装置２０１により、会員登録情報を受信する（図２１：Ｓ２０７）と同時に、「会員ＮＯ」、「パスワード」の各データを自動採番し（図２１：Ｓ２０８）、「会員ＮＯ」、「パスワード」欄に格納すると同時に、会員ＤＢ２０２に格納する（図２１：Ｓ２０９）。格納後、電子アルバム作成サーバー２０は、「会員登録のお知らせ」２２１の内容に「会員ＮＯ」と「パスワード」を付加して自動作成し（図２１：Ｓ２１０）、利用者端末１０のメールアドレス(例えば、HANAKO@JP)へ送信、またはＷＥＢに掲載したことを通知する（図２１：Ｓ２１１）。
【００５３】
利用者端末１０は、「会員登録のお知らせ」２２１を受信し、会員登録されたのを認識する（図２１：Ｓ１０３）。登録後、利用者端末１０は、ユーザ操作により、指定されている会員ＮＯ、パスワードの各データを入力してネットワーク１００上の電子アルバム作成サーバー２０（ＷＥＢ）へログインを行う（図２２：Ｓ１０４）。ログイン後、電子アルバム作成サーバー２０は、処理装置２０１により、会員ＤＢ２０２の各欄のデータを読み込み（図２２：Ｓ２１２）、その「会員ＮＯ」、「パスワード」欄の各データと利用者端末１０により入力された会員ＮＯ、パスワードの各データとを照合し（図２２：Ｓ２１３）、一致していたら（ＹＥＳ）、利用を許可する（図２２：Ｓ２１４）。
【００５４】
利用者端末１０は、ログイン後の画面にて「写真に撮影されている人物」をあだ名もしくは個人名として題名に記載したい個人名がある場合は、１人１人の写真に表示しても良い名前（例えば、「花子」、「みいちゃん」）及びその写真を撮る撮影期間を入力する（図２２：Ｓ１０５）。
【００５５】
電子アルバム作成サーバー２０は、処理装置２０１により、表示氏名、撮影期間のデータを受信すると（図２２：Ｓ２１５）、データ登録後、「バッチＮＯ（例えば、Ｂ００１、Ｂ００２）」を登録した人数分だけ１人１人ずつ自動採番し、個人判断ＤＢ２０９の「バッチＮＯ」欄に格納し、「表示氏名」欄にはニックネームもしくは氏名を格納し、撮影期間のデータは「撮影期間」欄にそれぞれ格納する（図２２：Ｓ２１６）。
【００５６】
格納後、処理装置２０１は、新しく格納された個人判別ＤＢ２０９のレコードの「登録者会員ＮＯ（例えば、「００１Ａ」）」を会員ＤＢの「会員ＮＯ（例えば、「００１Ａ」）」と照合し（図２２：Ｓ２１７）、一致した住所等の個人情報と新しく登録された個人判別ＤＢ２０９の個人情報を、受付業者端末３０に送信する（図２２：Ｓ２１８）。
【００５７】
受付業者端末３０は、個人情報と個人判別データを受信し（図２２：Ｓ３０１）、自動採番されている「バッチＮＯ」のバッチを、個人情報に記載の利用者端末１０（例えば、会員ＮＯが００１Ａ、氏名が花子）に輸送等の手段で送付する（図２２：Ｓ３０２）。
【００５８】
利用者端末１０は、輸送にて受付業者端末３０から送られてきたバッチを受け取り（図２２：Ｓ１０６）。これにより、登録した撮影期間のみ、バッチを付けて撮影する。バッチをつけて撮影した時のみ個人判別が可能となる。
【００５９】
次に、利用者端末１０は、写真撮影後にはデータ送信をする為、ユーザ操作により「会員ＮＯ」、「パスワード」を入力して電子アルバム作成サーバー２０（ＷＥＢ）に再度ログインし（図２３：Ｓ１０７）、デジタルカメラの電子データを電子アルバム作成サーバー２０へ送信する（図２３：Ｓ１０８）。
【００６０】
電子アルバム作成サーバー２０は、処理装置２０１により、利用者端末１０からのログインによる「会員ＮＯ」、「パスワード」を受信すると（図２３：Ｓ２１９）、会員ＤＢ２０２を読み込み（図２３：Ｓ２２１）、その「会員ＮＯ」、「パスワード」と照合し（図２３：Ｓ２２０）、一致したら（ＹＥＳ）、利用を許可する（図２３：Ｓ２２１）。
【００６１】
また、電子アルバム作成サーバー２０は、処理装置２０１により、利用者端末１０からの電子データを受信する（図２３：Ｓ２２２）と同時に、「写真ＮＯ」のデータを自動採番し（図２３：Ｓ２２３）、そのデータを「写真ＮＯ」欄に格納すると同時に受付データＤＢ２０３の各欄に格納する（図２３：Ｓ２２４）。
【００６２】
格納後、電子アルバム作成サーバー２０は、処理装置２０１により、受付データＤＢ２０３の「写真（イメージデータ）」を自動分析し、人物以外の「物体」が存在する場合（図２３：Ｓ２２５、ＹＥＳ）は、物体履歴ＤＢ２０４の「ＧＰＳ位置」、「方位」、「日時」を読み込んで（図２３：Ｓ２２６）、受付データＤＢ２０３の「ＧＰＳ位置」、「方位」、「撮影日時」と比較し（図２３：Ｓ２２７）、一致したデータの中で「撮影日時」と「日時」が最も近似した物体履歴ＤＢ２０４の「物体名（例えば、鹿、銅像）」を選択する（図２３：Ｓ２２８）。選択後、電子アルバム作成サーバー２０は、受付データＤＢ２０４の「物体名」欄に格納する（図２３：Ｓ２２９）。
【００６３】
さらに、電子アルバム作成サーバー２０は、処理装置２０１により、場所ＤＢ２０５の「ＧＰＳ位置」、「方位」欄のデータを読み込んで（図２３：Ｓ２３０）、受付データＤＢ２０３の「ＧＰＳ位置」、「方位」欄のデータと照合し（図２３：Ｓ２３１）、一致したデータに対応する「大区分」、「中区分」、「小区分」欄のデータと、受付データＤＢ２０３の「会員ＮＯ」、「写真ＮＯ」、「撮影日時」、「写真（イメージデータ）」、「物体名」欄のデータのみを抽出し（図２４：Ｓ２３２）、写真ＤＢ２０７の各欄に格納する（図２４：Ｓ２３３）。
【００６４】
さらに、電子アルバム作成サーバー２０は、処理装置２０１により、格納した「写真（イメージデータ）」欄のイメージデータを自動分析し（図２４：Ｓ２３４）、カメラの被写体に受付業者端末３０が、配布したバッチを付けて撮影されている場合（図２４：Ｓ２３５、ＹＥＳ）のみ、バッチに記載の「バッチＮＯ」を解析して（図２４：Ｓ２３６）、「バッチＮＯ」を自動取得する（図２４：Ｓ２３７）。また、電子アルバム作成サーバー２０は、写真ＤＢ２０７の「撮影日時」が個人判別ＤＢ２０９の「撮影日時」の間の期間であれば（図２４：Ｓ２３８、ＹＥＳ）、取得した「バッチＮＯ」を個人判別ＤＢ２０９の「バッチＮＯ」と比較し（図２４：Ｓ２３９）、一致した「表示氏名」を抽出する（図２４：Ｓ２４０）。抽出後、電子アルバム作成サーバー２０は、写真ＤＢ２０７の「表示氏名」欄に格納する（図２４：Ｓ２４１）。
【００６５】
再び、電子アルバム作成サーバー２０は、処理装置２０１により、「写真（イメージデータ）」欄のイメージデータを自動分析し（図２４：Ｓ２４２）、カメラの被写体にバッチを付けている人物があった場合、その人物の顔とポーズを自動分析して（図２４：Ｓ２４３）、表情ＤＢ２１０の「表情」または人物のポーズを動作ＤＢ２１１の「ポーズ」と比較し（図２４：Ｓ２４４）、それぞれ一致した「様子」と「動作」を抽出する（図２４：Ｓ２４５）。抽出後、電子アルバム作成サーバー２０は、それぞれ写真ＤＢ２０７の「様子」欄と「動作」欄に格納する（図２４：Ｓ２４６）。一致する「様子」と「動作」が存在しない場合は、何も格納しない。
【００６６】
次に、電子アルバム作成サーバー２０は、処理装置２０１により、写真ＤＢ２０７の「物体名」にデータが格納されているか（図２４：Ｓ２４７）等の種々の条件により、以下の動作を行い、「題名」欄に格納する。
【００６７】
まず、電子アルバム作成サーバー２０は、写真ＤＢ２０７の「物体名」欄にデータが格納されている場合（図２４：Ｓ２４７、ＹＥＳ）は、次の処理を行う。すなわち、電子アルバム作成サーバー２０は、処理装置２０１により、次のような３パターンの処理で、写真ＤＢ２０８の被写体である人物から見ての「物体名」欄のデータに対応する物体の位置を自動解析し（図２４：Ｓ２４８）、データを１レコードずつ自動で題名を付加し、写真ＤＢ２０７の「題名」欄に格納する（図２４：Ｓ２４９〜Ｓ２５５）。
【００６８】
例えば、「物体名」欄のデータに対応する物体の位置が被写体より後方にある場合（図２４：Ｓ２４９）は、ケース１−１の処理を行う（図２４：Ｓ２５０）。この処理では、格納されている「表示氏名」が空白の場合は、題名欄の定型文を［場所：「大区分」「中区分」の「小区分」で「物体名」をバックに撮影］とする。また、格納されている「表示氏名」が１人の場合は、題名欄の定型文を［場所：「大区分」「中区分」の「小区分」で「表示氏名」が「物体名」をバックに「様子」「動作」して撮影］とする。さらに、格納されている「表示氏名」が２人の場合は、題名欄の定型文を［場所：「大区分」「中区分」の「小区分」で「表示氏名」と「表示氏名」が「物体名」をバックに「様子」「動作」して撮影］とする。「様子」と「動作」が空白の場合は、「様子」「動作」しての部分は題名に付加しない。
【００６９】
また、「物体名」欄のデータに対応する物体の位置が被写体の左右、前後等の位置で被写体とほぼ同じ大きさである場合（図２４：Ｓ２５１）は、この処理を行う（図２４：Ｓ２５２）。この処理では、格納されている「表示氏名」が空白の場合は、題名欄の定型文を［場所：「大区分」「中区分」の「小区分」で「物体名」と撮影］とする。また、格納されている「表示氏名」が１人の場合は、題名欄の定型文を［場所：「大区分」「中区分」の「小区分」で「表示氏名」が「物体名」と「様子」「動作」して撮影］とする。さらに、格納されている「表示氏名」が２人の場合は、題名欄のデータを［場所：「大区分」「中区分」の「小区分」で「表示氏名」と「表示氏名」が「物体名」と「様子」「動作」して撮影］とする。「様子」と「動作」が空白の場合、「様子」「動作」しての部分は題名に付加しない。
【００７０】
さらに、「物体名」欄のデータに対応する物体の位置が、上記ケース１−１、１−２以外の位置もしくは被写体に人物が存在しない場合（図２４：Ｓ２５３）は、ケース１−３の処理を行う（図２４：Ｓ２５４）。この処理では、題名欄の定型文を［場所：「大区分」「中区分」の「小区分」で「物体名」を撮影］とする。
【００７１】
一方、写真ＤＢ２０７（図９）の「物体名」欄にデータが格納されていない場合は（図２４：Ｓ２４７、ＮＯ）、ケース２の処理を行う（図２４：Ｓ２５７）。ケース２では、電子アルバム作成サーバー２０は、処理装置２０１により、次のような処理で、写真ＤＢ２０８データを１レコードずつ、自動で題名を付加し、写真ＤＢ２０８の「題名」欄に格納する。
【００７２】
まず、格納されている「表示氏名」が空白の場合は、題名欄のデータを［場所：「大区分」「中区分」の「小区分」で撮影］とする。また、格納されている「表示氏名」が１人の場合は、題名欄の定型文を［場所：「大区分」「中区分」の「小区分」で「表示氏名」で「様子」「動作」して撮影］とする。さらに、格納されている「表示氏名」が２人の場合は、題名欄の定型文を［場所：「大区分」「中区分」の「小区分」で「表示氏名」と「表示氏名」で「様子」「動作」して撮影］とする。「様子」と「動作」が空白の場合、「様子」「動作」しての部分は題名に付加しない。
【００７３】
次に、電子アルバム作成サーバー２０は、処理装置２０１により、写真ＤＢ２０７のデータを、利用者端末１０のメールアドレス(例えば、HANAKO@JP)へ送信、またはＷＥＢに掲載したことを通知する（図２５：Ｓ２５８）。
【００７４】
利用者端末１０は、データを受信すると（図２５：Ｓ１０９）、「題名」が「写真（イメージデータ）」とあっているかどうか、ユーザにより内容チェックを行う（図２５：Ｓ１１０）。訂正したい場合は（図２５：Ｓ１１１、ＹＥＳ）、ユーザ操作により「訂正」欄に正しい題名を入力する（図２５：Ｓ１１２）。例えば、今回は、写真ＮＯ１に変更があったと仮定する。訂正後、利用者端末１０は、訂正した写真ＤＢ２０７を電子アルバム作成サーバー２０へ送信する（図２５：Ｓ１１３）。
【００７５】
電子アルバム作成サーバー２０は、処理装置２０１により、訂正した写真ＤＢ２０７を受信し（図２５：Ｓ２５９）、その「訂正」欄に入力があった際（図２５：Ｓ２６０、ＹＥＳ）は、写真ＤＢ２０７の「題名」欄に上書き格納し、データを書き換える（図２５：Ｓ２６１）。訂正が無かった場合は、Ｓ２６２の処理に移行する。
【００７６】
次に、電子アルバム作成サーバー２０は、処理装置２０１により、写真ＤＢ２０７の「大区分」毎に表紙ＤＢ２０８の「大区分（例えば、宮島）」と、写真ＤＢ２０７の「大区分（例えば、宮島）」を照合し（図２５：Ｓ２６３）、一致した「表紙（例えば、絵または写真）」を抽出し（図２５：Ｓ２６４）、写真ＤＢ２０７の「表紙」欄に格納する（図２５：Ｓ２６５）。格納後、写真ＤＢ２０７を、第一キー（大区分）、第二キー（撮影日時）の順番でソートする（図２５：Ｓ２６６）。
【００７７】
ソート後、電子アルバム作成サーバー２０は、処理装置２０１により、写真ＤＢ２０７の「大区分」毎に「表紙」を付加し、電子アルバムを自動作成し（図２５：Ｓ２６７）、電子アルバムを作成後、「アルバム完成通知」２２２を会員ＤＢ２０２より自動作成し（図２５：Ｓ２６８）、利用者端末１０のメールアドレス(例えば、HANAKO@JP)にＷＥＢへ掲載したことを通知する（図２５：Ｓ２６９）。
【００７８】
利用者端末１０は、「アルバム完成通知」２２２を受け取ると（図２５：Ｓ１１４）、アルバムが完成したことを知り、ＷＥＢにログインして電子アルバムを閲覧できる。これにより、必要性があれば、ＷＥＢ上でＣＤへの書き込み注文、又は写真印刷注文等が容易にできる。また、手元での媒体管理ではないので容易な管理が実現でき、いつでも何処でもインターネットがつながる環境であれば利用できる。
【００７９】
以上の動作をまとめると、以下のようになる。
【００８０】
利用者端末１０は、事前に会員登録をしておく。サービス利用時は、指定されたユーザＩＤとパスワードで電子アルバム作成サーバー２０にログインし、写真に表示する個人名と撮影期間を入力する。受付業者端末３０は、電子アルバム作成サーバー２０より、バッチＮＯと個人情報を受信し、番号を記載したバッチを利用者端末１０へ輸送する。更に、利用者端末１０は、ＧＰＳ機能搭載のデジタルカメラにて撮影した写真を送信する。
【００８１】
電子アルバム作成サーバー２０は、受付データＤＢ２０３に格納し、人物以外の物体が存在する場合は物体の形状、撮影時間、ＧＰＳ位置や方位より物体履歴ＤＢ２０４から物体名を自動取得する。また、場所ＤＢ２０５のＧＰＳ位置や方位からも、大中小区分別の地域名または場所を選択する。物体が存在する場合は、被写体からみた物体の配置を分析し写真１枚１枚の題名を物体の位置に応じて自動取得する。
【００８２】
バッチを付けた人物が撮影された際も、写真のバッチＮＯを解析し、表示氏名を自動取得できるので題名に付加する。これらの情報を、統括して写真ＤＢ２０７に格納し、利用者端末１０に題名の内容確認をしてもらう。
【００８３】
利用者端末１０は、内容に訂正があれば訂正欄に明記し、再び電子アルバム作成サーバー２０へ送信する手段も有する。電子アルバム作成サーバー２０上で、データを並び替え大区分で表紙ＤＢ２０８より、表紙をデータに付加する。
【００８４】
以上の動作により、電子アルバムを自動作成することが可能となる。
【００８５】
すなわち、本実施の形態では、電子アルバムの際には、電子アルバム作成サーバー利用時は事前にユーザーＩＤ、パスワード等を登録する。ログイン後は、「表示氏名」、「撮影期間」を登録し、撮影した電子データをＷＥＢに送信する。受付業者端末が上記の情報をサーバーより受信することにより指定されたバッチを発行し、利用者端末へ輸送する。デジタルカメラには、ＧＰＳ機能の位置記録装置等を掲載しており、これらによりサーバー上で、場所の特定と写真に写っている物の形状から物体を自動解析することができる。更に被写体にバッチを付けた人物がいる場合は、バッチより「表示氏名」を読み取り、人物の表情や動作から、人物の様子を読み取ることが可能なので、写真１枚１枚に物体名、撮影場所、表示氏名、表情、様子を利用して、題名を自動付加することができる。
【００８６】
大区分別にアルバムの表紙が自動選択され、これらのデータを元に電子アルバムが自動作成されることを特徴とするものである。
【００８７】
電子アルバム作成後は、利用者のリクエストによりＣＤへ書き込み、写真を現像等の豊富なサービスとしても利用できる多彩の用途を提供する。
【００８８】
次に、本実施の形態の効果について説明する。
【００８９】
前述したように、従来の電子アルバムは、デジタルカメラで撮影した写真をそのままＮＥＴ上にアップロードし、保存するしか機能は無く、写真１枚１枚の題名も規定値の無題のままか手入力が多く、撮影して数日経過すると何処で撮影をしたものなのかを忘れてしまい、題名を付けることが困難であり、手入力で入力した場合、枚数が多いと多大な時間がかかり、単なる写真の保存だけとなるなどの問題があった。
【００９０】
これに対し、本実施の形態では、上記のような問題を解決し、次のような効果が得られる。
【００９１】
（１）デジタルカメラに位置情報（ＧＰＳ）機能を付加することにより、撮影位置が認識できる為、写真の題名を自動で付けることができる。
【００９２】
（２）写真に写っている物体を自動解析したり、個別のバッチを付けて撮影したりすることにより個人判別が可能になり、人物の表情や動作も自動解析することができるので、スポット名だけでなくより詳細な題名を付けることができる。
【００９３】
（３）単なるデータ保存ではなく、媒体上で格納できるようなアルバムがＮＥＴ上で自動作成できる。
【００９４】
（４）アルバムを電子データとして格納するので、利用者の要望により媒体へ保存、及びＮＥＴ上から写真の現像依頼も可能となり、多々のサービスを提供できる。
【００９５】
（５）撮影してから数日経過して何処で撮影したものなのか概要を忘れたり、多くの枚数を撮影したりしても、写真１枚１枚に自動で題名を取得することができるため、手間が省け、より詳細に思い出に残るアルバムが作成可能となる。
【００９６】
また、本実施の形態では、ＧＰＳ機能を常備しているデジタルカメラを流用しているが、位置情報のみが取得できる為、場所別等に並び替えをしてデータを整理した保存も可能である。しかし、写真１枚の題名は、デジタルカメラの機能では自動で付加できない。規定値のメーカー名が連番でついてしまう形になる。
【００９７】
本実施の形態は、カメラのＧＰＳ機能を利用して、取得した位置データを元に題名が自動作成できる他、ＧＰＳ位置を用いて地図情報を掲載することにより、友人等が何処で撮った写真なのか等の質問や撮影スポットを薦めたい場合に説明できるので、友人等も同じ場所で撮影したり、地図情報として表示したりすることも可能である。
【００９８】
また、電子アルバムなので、本格的なアルバムとする為に閲覧中に音楽を選択して付加するということも可能である。
【００９９】
また、本実施の形態では、人物（被写体）がバッチを付けバッチが映るようにして撮影し、デジタルカメラの映像を送信するだけで電子アルバムが自動で作成できるので、現在運営している電子アルバムサイトも会員制で新たなビジネスとして立ち上げることも可能になる。
【０１００】
なお、本実施の形態では、個人判別用装着物として「バッチ」を用いた場合を説明しているが、本発明はこれに限らず、ＩＣチップでも、ＱＲコードでも、写真に写っている被写体から自動で認識かつ個人判別できるものであれば、何でもよい。
また、これ以外のサービスとしても媒体への書き込みや現像、メールサービスなどの豊富なサービスも提供できる。撮影スポットとしても、特に目印がなくてもＧＰＳ位置機能により詳しい地図情報を掲載できるので、撮影スポットの案内としてもＷＥＢに掲載でき、観光地の紹介により町の活性化にもつながるとも考えられる。
【０１０１】
（第２の実施の形態）
図２６は、本発明の第２の実施の形態に係る電子アルバム作成装置を示す。
【０１０２】
図２６に示す電子アルバム作成装置２１は、第１の実施の形態の電子アルバム作成サーバーと同様のＤＢ２００と、処理装置２０１とを有し、処理装置２０１は、被写体解析部２２１、題名付加部２２２、及び電子アルバム作成部２２３を備える。
【０１０３】
被写体解析部２２１は、例えば前述のＳ２０１〜Ｓ２４６（図２０〜図２４）に対応する処理を実行するもので、撮像装置（非図示）により撮影された写真の電子データから被写体の人物及び物体を判別し、判別した人物の表情及び様子を含む人物属性と、物体の物体名を含む物体属性と、人物と物体との位置関係とを含む被写体属性を解析する。
【０１０４】
題名付加部２２２は、例えば前述のＳ２４７〜Ｓ２５７（図２４）に対応する処理を実行するもので、解析した被写体属性を表す語句を予め設定された題名用定型文の所定箇所に挿入することにより写真毎に題名を付加する。
【０１０５】
電子アルバム作成部２２３は、例えば前述のＳ２５８〜Ｓ２６９（図２５）の処理を実行するもので、題名を付加した写真の電子データから電子アルバムを作成する。
【０１０６】
この構成では、被写体解析部２２１は、被写体の人物に予め登録された個人判別用装着物（例えば、前述のバッジ）を付けた人物が含まれる場合、人物属性として、装着物から人物の表示氏名を解析し、題名付加部２２２は、解析した人物の表示氏名を前記題名用定型文の所定箇所に挿入することにより写真毎に題名を付加してもよい。
【０１０７】
また、電子データは、撮像装置の位置情報を含み、被写体解析部２２１は、被写体属性として、位置情報から撮影場所を解析し、題名付加部２２２は、解析した撮影場所を表す語句を題名用定型文の所定箇所に挿入することにより写真毎に題名を付加し、電子アルバム作成部２２３は、解析した撮影場所に応じて予め設定された表紙データの中から電子アルバムの表紙を抽出してもよい。
【０１０８】
また、被写体解析部２２１は、予め設定された時間に同一の撮影場所で撮影された写真の電子データを記録し、その履歴から被写体の物体を解析してもよい。
【０１０９】
従って、本実施の形態でも、第１の実施の形態と同様の作用効果を得ることができるほか、ネットワーク上のサーバーの形態に限らず、スタンドアロン型ＰＣなどの形態でも利用できる等の利点がある。
【０１１０】
（第３の実施の形態）
図２７は、本発明の第３の実施の形態に係る電子アルバム作成装置を備えた端末装置を示す。
【０１１１】
図２７に示す撮像装置４０１及び表示装置４０２を有する端末装置４００は、例えば携帯電話機などの携帯端末で構成され、通話、メール、インターネット接続機能等のほか、第２の実施の形態と同様の電子アルバム作成装置２１（ＤＢ２００、処理装置２０１（被写体解析部２２１、題名付加部２２２、及び電子アルバム作成部２２３））を搭載したものである。
【０１１２】
よって、本実施の形態でも、第１の実施の形態と同様の作用効果を得ることができるほか、サーバーなどの外部機器を利用しないで全ての処理を端末装置側で行うため、利用者にとっては、より一層利便性が向上する等の利点もある。
【０１１３】
（第４の実施の形態）
図２８は、本発明の第４の実施の形態に係る電子アルバム作成装置を備えた撮像装置を示す。
【０１１４】
図２８に示す撮像部５０１及び表示部５０２を有する撮像装置４００は、例えばデジタルカメラで構成され、撮像機能等のほか、第２の実施の形態と同様の電子アルバム作成装置２１（ＤＢ２００、処理装置２０１（被写体解析部２２１、題名付加部２２２、及び電子アルバム作成部２２３））を搭載したものである。
【０１１５】
よって、本実施の形態でも、第１の実施の形態と同様の作用効果を得ることができるほか、サーバーなどの外部機器を利用しないで全ての処理を撮像装置側で行うため、利用者にとっては、より一層利便性が向上する等の利点もある。
【０１１６】
なお、上記各実施の形態に係る電子アルバム作成装置は、そのハードウェア及びソフトウェア構成は特に限定されるものではなく、上述したＤＢ２００及び処理装置２０１の機能を実現可能なものであれば、いずれのものでも適用可能である。例えば、機能毎に回路を独立させて構成したものでも、複数の機能を１つの回路にまとめて一体に構成したものでも、いずれのものであってもよい。或いは、全ての機能を主にソフトウェアの処理で実現するものでもあってもよい。
【０１１７】
また、上記の電子アルバム作成装置の少なくとも一部の機能を、プログラムコードを用いて実現する場合、かかるプログラムコード及びこれを記録する記録媒体は、本発明の範疇に含まれる。この場合、オペレーティングシステム等の他のソフトウェアと協働して上記機能が実現される場合は、それらのプログラムコードも含まれる。
【０１１８】
以上、実施形態及び実施例を参照して本願発明を説明したが、本願発明は上記実施形態及び実施例に限定されるものではない。本願発明の構成や詳細には、本願発明のスコープ内で当業者が理解し得る様々な変更をすることができる。
【産業上の利用可能性】
【０１１９】
以上説明したように、本発明は、カメラで撮影した写真の電子データから電子アルバムを作成する電子アルバム作成装置、方法、プログラム、システム、サーバー、情報処理装置、端末装置、及び撮像装置などの用途に利用可能である。
【符号の説明】
【０１２０】
１０  利用者端末
２０  電子アルバム作成サーバー
２１  電子アルバム作成装置
３０  受付業者端末
１００  ネットワーク
２００  ＤＢ（データベース）
２０１  処理装置
２０２  会員ＤＢ
２０３  受付データＤＢ
２０４  物体履歴ＤＢ
２０５  場所ＤＢ
２０６  物体ＤＢ
２０７  写真ＤＢ
２０８  表紙ＤＢ
２０９  個人判別ＤＢ
２１０  表情ＤＢ
２１１  動作ＤＢ
２２１  被写体解析部
２２２  題名付加部
２２３  電子アルバム作成部
３００  ネットワーク
４００  端末装置
５００  撮像装置
【図１】
2010218227.tif 000003
【図２】
2010218227.tif 000004
【図３】
2010218227.tif 000005
【図４】
2010218227.tif 000006
【図５】
2010218227.tif 000007
【図６】
2010218227.tif 000008
【図７】
2010218227.tif 000009
【図８】
2010218227.tif 000010
【図９】
2010218227.tif 000011
【図１０】
2010218227.tif 000012
【図１１】
2010218227.tif 000013
【図１２】
2010218227.tif 000014
【図１３】
2010218227.tif 000015
【図１４】
2010218227.tif 000016
【図１５】
2010218227.tif 000017
【図１６】
2010218227.tif 000018
【図１７】
2010218227.tif 000019
【図１８】
2010218227.tif 000020
【図１９】
2010218227.tif 000021
【図２０】
2010218227.tif 000022
【図２１】
2010218227.tif 000023
【図２２】
2010218227.tif 000024
【図２３】
2010218227.tif 000025
【図２４】
2010218227.tif 000026
【図２５】
2010218227.tif 000027
【図２６】
2010218227.tif 000028
【図２７】
2010218227.tif 000029
【図２８】
2010218227.tif 000030